(57)【特許請求の範囲】
【請求項１】
基板と、
前記基板の一方の面を複数の透光性を有する隔壁で空間的に区画して形成された複数のセルと、
各前記セルの開口部側に設けられた、視認側から平面視して表示面となる透明性の電極面を有する第１電極と、
前記各セルの底部側に設けられた、前記各セルの底面部と対面する電極面を有する第２電極と、
前記各セルの内側に設けられた透明性及び絶縁性を有する分散媒と、
前記各セルの前記分散媒中に分散され且つ隣接したセルと異なる色に着色された、少なくとも１種類の所定極性に帯電した有色の電気泳動粒子と、
前記各セルの内側に設けられた、前記視認側から前記第１電極を透過した光を反射して、該反射した光を前記隔壁を介して隣接するセルに入射させ、前記隣接したセルから前記隔壁を介して入射した光を反射して、該反射した光を当該セルの前記第１電極に入射させる反射部を有した反射部材と、
前記第１電極及び前記第２電極に所定極性の電圧を印加する電圧印加手段と、を備え、
前記反射部材は、視認側から平面視して、前記有色の電気泳動粒子の泳動を妨げない範囲で、前記第２電極を隠蔽できるサイズの単数の白色の粒子であり、
視認側から平面視して、前記セルの底部の少なくとも前記反射部材と重ならない部分を白色に着色したことを特徴とする電気泳動表示装置。
【請求項２】
前記複数のセルにおける隣接する各３つのセルで一画素を構成し、
前記各３つのセルを第１〜第３のセルとして、
前記第１のセルの内側に、前記有色の電気泳動粒子として、互いに反対の極性に帯電した、赤色に着色された第１の電気泳動粒子と前記赤色と補色の関係にあるシアン色に着色された第２の電気泳動粒子とを有し、
前記第２のセルの内側に、前記有色の電気泳動粒子として、互いに反対の極性に帯電した、緑色に着色された第３の電気泳動粒子と前記緑色と補色の関係にあるマゼンタ色に着色された第４の電気泳動粒子とを有し、
前記第３のセルの内側に、前記有色の電気泳動粒子として、互いに反対の極性に帯電した、青色に着色された第５の電気泳動粒子と前記青色と補色の関係にある黄色に着色された第６の電気泳動粒子とを有することを特徴とする請求項１に記載の電気泳動表示装置。
【請求項３】
前記反射部材は、前記有色の電気泳動粒子よりも大きいサイズの無帯電又は前記有色の電気泳動粒子よりも少ない帯電量の白色の粒子であることを特徴とする請求項１又は請求項２に記載の電気泳動表示装置。
【請求項４】
前記反射部材である白色の粒子は、前記セルの内側に固定して設けられていることを特徴とする請求項３に記載の電気泳動表示装置。
【請求項５】
請求項１乃至請求項４のいずれか１項に記載の電気泳動表示装置を備えた電子機器。
【請求項６】
基板と、
前記基板の一方の面を複数の透光性を有する隔壁で空間的に区画して形成された複数のセルと、
各前記セルの開口部側に設けられた、視認側から平面視して表示面となる透明性の電極面を有する第１電極と、
前記各セルの底部側に設けられた、前記各セルの底面部と対面する電極面を有する第２電極と、
前記各セルの内側に設けられた透明性及び絶縁性を有する分散媒と、
前記各セルの前記分散媒中に分散され且つ隣接したセルと異なる色に着色された、少なくとも１種類の所定極性に帯電した有色の電気泳動粒子と、
前記各セルの内側に設けられた、前記視認側から前記第１電極を透過した光を反射して、該反射した光を前記隔壁を介して隣接するセルに入射させ、前記隣接したセルから前記隔壁を介して入射した光を反射して、該反射した光を当該セルの前記第１電極に入射させる反射部を有した反射部材と、を備え、
前記反射部材は、視認側から平面視して、前記有色の電気泳動粒子の泳動を妨げない範囲で、前記第２電極を隠蔽できるサイズの単数の白色の粒子であり、
視認側から平面視して、前記セルの底部の少なくとも前記反射部材と重ならない部分を白色に着色したことを特徴とする電気泳動表示体。
【発明の詳細な説明】
【技術分野】
【０００１】
本発明は、電気泳動表示技術に関する。
【背景技術】
【０００２】
溶媒（分散媒）に帯電した粒子を分散させた分散液（「分散系」ともいう。）に電界を与えると、粒子は、クーロン力により分散媒中を移動（泳動）する。この現象を電気泳動といい、当該電気泳動を利用して、画像等の所望の情報を表示する電気泳動表示装置（electrophoretic display：ＥＰＤ）が知られている。
ＥＰＤの構成例としては、例えば下記の特許文献１等に示されるように、一対の基板間を、隔壁により複数の空間（セル）に区画し、各セル内に、帯電した粒子（電気泳動粒子）及び分散媒を含む分散系を封入したものが知られている。
【先行技術文献】
【特許文献】
【０００３】
【特許文献１】特開２００４−４７７３号公報
【発明の概要】
【発明が解決しようとする課題】
【０００４】
ＥＰＤの１つセルは１つの画素（ピクセル）に対応させることができ、３つのセルに異なる３色（例えば赤、緑、青）をそれぞれ対応付けることで、フルカラー表示が可能となる。セルの構成例としては、（１）白粒子、黒粒子、及び色分散液を充填する場合、（２）白粒子、黒粒子、及び色粒子を充填する場合、（３）白粒子及び黒粒子を充填し、かつ、カラーフィルタを付属する場合等が挙げられる。
【０００５】
上記（１）及び（２）のセル構成では、赤を表示したい場合、赤を表示するピクセル以外の緑と青の２ピクセルはそれぞれ白又は黒の表示状態に制御される。つまり、３つのピクセルの表示状態は、（赤、白、白）、（赤、白、黒）、（赤、黒、黒）のいずれかになる。緑や青を表示する場合も、同様に、表示させたい目的の色（単色）以外の２ピクセルはそれぞれ白又は黒の表示状態に制御される。
【０００６】
つまり、原色系３色（赤、緑、青）のいずれか１色を表示するといっても、３色の色面積（３ピクセル）のすべてで目的の色を表示できるわけではない。３色（３ピクセル）の色面積の１／３、すなわち１ピクセルでしか目的の色を実際に表示できるに過ぎない。
本発明の目的の一つは、電気泳動表示装置の表示性能、例えば単色表示の効率、彩度を向上できるようにすることにある。
なお、当該目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【０００７】
〔形態１〕  上記目的を達成するために、形態１の電気泳動表示装置は、基板と、
前記基板の一方の面を複数の透光性を有する隔壁で空間的に区画して形成された複数のセルと、
各前記セルの開口部側に設けられた、視認側から平面視して表示面となる透明性の電極面を有する第１電極と、
前記各セルの底部側に設けられた、前記各セルの底面部と対面する電極面を有する第２電極と、
前記各セルの内側に設けられた透明性及び絶縁性を有する分散媒と、
前記各セルの前記分散媒中に分散され且つ隣接したセルと異なる色に着色された、少なくとも１種類の所定極性に帯電した有色の電気泳動粒子と、
前記各セルの内側に設けられた、前記視認側から前記第１電極を透過した光を反射して、該反射した光を前記隔壁を介して隣接するセルに入射させ、前記隣接したセルから前記隔壁を介して入射した光を反射して、該反射した光を当該セルの前記第１電極に入射させる反射部を有した反射部材と、
前記第１電極及び前記第２電極に所定極性の電圧を印加する電圧印加手段と、を備える。
【０００８】
このような構成であれば、例えば、第１のセルにおいて、第１の色に着色された第１の電気泳動粒子を第１電極に集合させたとする。この場合に、第１のセルに視認側から入射した光は、第１の電気泳動粒子を透過した後に、第１のセルの内側にある反射部材で反射される。この反射光は第１の色の色光である第１の有色光となって隣接する第２のセルに入射し、この入射した第１の有色光は第２のセルの反射部材によって反射される。このとき、第２のセルにおいて、第１の色とは異なる第２の色に着色された第２の電気泳動粒子が第１電極に集合しているとする。この場合に、第２のセルにおいて反射部材で反射した第１の有色光は、セルの内側から第２の電気泳動粒子を透過して第２のセルの第１電極を介して視認側へと出射される。
【０００９】
一方、第２のセルに視認側から入射した光は、第２の電気泳動粒子を透過した後に、第２のセルの内側にある反射部材で反射される。この反射光は第２の色の色光である第２の有色光となって隣接する第１のセルに入射し、この入射した第２の有色光は第１のセルの反射部材によって反射される。第１のセルにおいて反射部材で反射した第２の有色光は、セルの内側から第１の電気泳動粒子を透過して第１のセルの第１電極を介して視認側へと出射される。
【００１０】
これにより、視認側で観測される有色光には、第１のセルの第１電極に集合した第１の電気泳動粒子の第１の色の反射光と、第２のセルの第１電極に集合した第２の電気泳動粒子の第２の色の反射光との両者のセルが隣接していることに起因する混色光が含まれる。加えて、第１のセルから第２のセルに入射した第１の有色光が第２のセルにおける第２の電気泳動粒子を透過した際の混色による第１の混色光が含まれる。更に、第２のセルから第１のセルに入射した第２の有色光が第１のセルにおける第１の電気泳動粒子を透過した際の混色による第２の混色光が含まれる。
【００１１】
ここで、隣接する第１及び第２のセルにおいて、上記した第１のセルの第１の有色光と、第２のセルの第２の有色光とはセルの並置による混色（以下、並置混色と称す）となり、両者は足し算されて混色される。一方、上記した第１の混色光と第２の混色光とは、２色の粒子を積層させた際の混色（以下、積層混色と称す）と同様となり、第１の有色光と第２の有色光との積算による混色となる。そして、並置による混色光と、第１の混色光と、第２の混色光とを足し合わせた混色光が最終的な観測光となる。
つまり、観測光は、並置混色による第１の色の光と第２の色の光との混色光に、積層混色による第１の混色光と第２の混色光とが加算されることになる。
【００１２】
従って、混色表示を行う際に、従来の並置混色のみの混色表示としていた場合と比較して、各セルにおいて積層混色を生じさせることができるので、例えば、セルのサイズが大きいなどの理由で並置混色が生じにくい場合でも、表示色（混色）の彩度を大きくすることができる。また、隣接するピクセルとの混色表示を行うことができるので、複数のセルで１つの表示色を表現することができる。
【００１３】
〔形態２〕  更に、形態２の電気泳動表示装置は、形態１の電気泳動表示装置において、前記複数のセルにおける隣接する各３つのセルで一画素を構成し、
前記各３つのセルを第１〜第３のセルとして、
前記第１のセルの内側に、前記有色の電気泳動粒子として、互いに反対の極性に帯電した、赤色に着色された第１の電気泳動粒子と前記赤色と補色の関係にあるシアン色に着色された第２の電気泳動粒子とを有し、
前記第２のセルの内側に、前記有色の電気泳動粒子として、互いに反対の極性に帯電した、緑色に着色された第３の電気泳動粒子と前記緑色と補色の関係にあるマゼンタ色に着色された第４の電気泳動粒子とを有し、
前記第３のセルの内側に、前記有色の電気泳動粒子として、互いに反対の極性に帯電した、青色に着色された第５の電気泳動粒子と前記青色と補色の関係にある黄色に着色された第６の電気泳動粒子とを有する。
【００１４】
このような構成であれば、第１のセルの第１の電気泳動粒子の赤色は、第２のセルの第４の電気泳動粒子のマゼンタ色と第３のセルの第６の電気泳動粒子のイエロー色との混色によって表現することができる。また、第２のセルの第３の電気泳動粒子の緑色は、第１のセルの第２の電気泳動粒子のシアン色と、第３のセルの第６の電気泳動粒子のイエロー色との混色によって表現することができる。また、第３のセルの第５の電気泳動粒子の青色は、第１のセルの第２の電気泳動粒子のシアン色と、第２のセルの第４の電気泳動粒子のマゼンタ色との混色によって表現することができる。
【００１５】
従って、例えば、第１のセルにおいて第１の電気泳動粒子を第１電極に集合させ、第２のセルにおいて第４の電気泳動粒子を第１電極に集合させ、第３のセルにおいて第６の電気泳動粒子を第１電極に集合させたとする。この場合は、まず、第２のセルと第３のセルとの並置による混色によって赤色光が構成される。加えて、第２のセルの反射部材で反射され第３のセルに入射したシアン色光は、第３のセルの反射部材で反射され、第６の電気泳動粒子を透過して第３のセルの第１電極を介して出射される。更に、第３のセルの反射部材で反射され第２のセルに入射したマゼンタ色光は、第２のセルの反射部材で反射され、第４の電気泳動粒子を透過して第２のセルの第１電極から出射される。つまり、第２のセル及び第３のセルからは、積層混色によって、シアン色光とマゼンタ色光とが混色した赤色光が出射される。
【００１６】
これにより、第１〜第３のセルからなる画素を視認側から見たときの観測光は、第１のセルの赤色光と、第２のセルのマゼンタ色光及び第３のセルのイエロー色光の並置混色による赤色光と、第２のセルにおいて積層混色してなる赤色光と、第３のセルにおいて積層混色してなる赤色光とを足し合わせた赤色光を含むものとなる。厳密には、第１のセルにおいて積層混色した色光等も含まれることになる。
【００１７】
つまり、３つのセルにより赤色を表示することができると共に、並置だけの混色と比較して積層混色の分も含むことになるので、例えば、セルのサイズが大きいなどの理由で並置混色が生じにくい場合でも、比較的彩度の大きい赤色表示を行うことができる。従って、第１〜第３の３つのセルによって、彩度の比較的大きい赤色、緑色及び青色のいずれか１色の表示を行うことができる。
【００１８】
〔形態３〕  更に、形態３の電気泳動表示装置は、形態１又は２の電気泳動表示装置において、前記反射部材は、前記有色の電気泳動粒子よりも大きいサイズの無帯電又は前記有色の電気泳動粒子よりも少ない帯電量の白色の粒子である。
このような構成であれば、各ピクセルにおいて、有色の電気泳動粒子を下部電極に集合させることで、無帯電又は微小帯電の白色の粒子によって白色表示を行うことができる。
また、この白色粒子自体が反射部材となって、第１電極に集合した有色の電気泳動粒子を透過した光を反射して隣接するセルに対して入射させることができるので、上記形態１又は２と同様の作用及び効果を得ることができる。
【００１９】
〔形態４〕  更に、形態４の電気泳動表示装置は、形態３の電気泳動表示装置において、前記反射部材である白色の粒子は、前記セルの内側に固定して設けられている。
白色の粒子がセル内に固定されているので、固定されていない場合と比較して有色の電気泳動粒子の泳動の制御を簡易化することができる。
〔形態５〕  更に、形態５の電気泳動表示装置は、形態１乃至４のいずれか１の電気泳動表示装置において、視認側から平面視して、前記下部電極を隠蔽するように前記反射部材を設けた。
このような構成であれば、白色表示を行うときに、下部電極に集合した有色の電気泳動粒子の色が視認側から視認されるのを防ぐことができる。
【００２０】
〔形態６〕  更に、形態６の電気泳動表示装置は、形態５の電気泳動表示装置において、前記各セルの内側に、視認側から平面視して、前記有色の電気泳動粒子の泳動を妨げない範囲で、前記下部電極を隠蔽できるサイズの単数の前記白色の粒子又は前記下部電極を隠蔽できる個数の複数の前記白色の粒子を配設した。
このような構成であれば、白色表示を行うときに、下部電極に集合した有色の電気泳動粒子の色が視認側から視認されるのを防ぐことができる。
〔形態７〕  一方、上記目的を達成するために、形態７の電子機器は、形態１乃至６のいずれか１の電気泳動表示装置を備えた。
このような構成であれば、上記形態１乃至６のいずれか１の電気泳動表示装置と同等の作用及び効果を得ることができる。
【００２１】
〔形態８〕  また、上記目的を達成するために、形態８の電気泳動表示体は、基板と、
前記基板の一方の面を複数の透光性を有する隔壁で空間的に区画して形成された複数のセルと、
各前記セルの開口部側に設けられた、視認側から平面視して表示面となる透明性の電極面を有する第１電極と、
前記各セルの底部側に設けられた、前記各セルの底面部と対面する電極面を有する第２電極と、
前記各セルの内側に設けられた透明性及び絶縁性を有する分散媒と、
前記各セルの前記分散媒中に分散され且つ隣接したセルと異なる色に着色された、少なくとも１種類の所定極性に帯電した有色の電気泳動粒子と、
前記各セルの内側に設けられた、前記視認側から前記第１電極を透過した光を反射して、該反射した光を前記隔壁を介して隣接するセルに入射させ、前記隣接したセルから前記隔壁を介して入射した光を反射して、該反射した光を当該セルの前記第１電極に入射させる反射部を有した反射部材と、を備える。
このような構成であれば、上記形態１の電気泳動装置と同様の作用及び効果が得られる。
【図面の簡単な説明】
【００２２】
【図１】一実施形態に係る電気泳動表示装置１を模式的に示す分解斜視図である。
【図２】図１に例示する電気泳動表示装置１の模式的部分断面図である。
【図３】電気泳動表示装置１の電極形状及び配置の一例を示す平面図である。
【図４】（ａ）は、セル６における色粒子の組み合わせ例を模式的に示す部分断面図であり、（ｂ）は、（ａ）における色の組み合わせ例を一覧表にした図である。
【図５】（ａ）〜（ｃ）は、第１〜第３のセル６（＃１〜＃３）の配置構成例を示す平面図である。
【図６】（ａ）〜（ｃ）は、３つのサブピクセルによる混色の仕組みを例示した電気泳動表示装置の模式的な部分断面図である。
【図７】セル＃１〜セル＃３の表示色の組み合わせ例を示す図である。
【図８】４電極構造の場合における電圧極性のパターンの一例を示す図である。
【図９】（ａ）及び（ｂ）は、４電極構造及び３電極構造の場合の電極の表記例を示す図である。
【図１０】４電極構造において赤色表示を行う場合の各電極の電圧極性の一例を示す電気泳動表示装置の模式的な部分断面図である。
【図１１】４電極構造において白色表示を行う場合の各電極の電圧極性の一例を示す電気泳動表示装置の模式的な部分断面図である。
【図１２】４電極構造において黒色表示を行う場合の各電極の電圧極性の一例を示す電気泳動表示装置の模式的な部分断面図である。
【図１３】３電極構造の場合における電圧極性のパターンの一例を示す図である。
【図１４】３電極構造において赤色表示を行う場合の各電極の電圧極性の一例を示す電気泳動表示装置の模式的な部分断面図である。
【図１５】３電極構造において白色表示を行う場合の各電極の電圧極性の一例を示す電気泳動表示装置の模式的な部分断面図である。
【図１６】（ａ）〜（ｄ）は、白色大粒子５Ｃのセル６の底面部への固定方法の一例を示す図である。
【図１７】（ａ）〜（ｃ）は、白色大粒子５Ｃのセル６内における配置構成例を示す模式的な平面図である。
【図１８】（ａ）は、本実施形態及び比較例の電気泳動表示装置で測定した測定値を用いて作成したｘｙ色度図であり、（ｂ）は、本発明及び比較例のｘｙ色度図の作成に用いた測定値を示す図である。
【図１９】変形例１の電気泳動表示装置の構造を示す模式的な部分断面図である。
【発明を実施するための形態】
【００２３】
以下、本発明の実施形態を図面に基づき説明する。図１〜図１９は、本発明に係る電気泳動表示装置、電子機器及び電気泳動表示体の実施形態を示す図である。
但し、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２４】
（一実施形態）
図１は、一実施形態に係る電気泳動表示装置１を模式的に示す分解斜視図、図２は、図１に例示する電気泳動表示装置１の模式的部分断面図、図３は、電気泳動表示装置１の電極形状及び配置の一例を示す平面図である。なお、図２中の矢印は、電気泳動表示装置１の観測者の視認方向を表わし、図３は、視認方向１００の平面視における平面図に相当している。
図１及び図２に示すように、本実施形態の電気泳動表示装置１は、例示的に、基板３と、基板３の一方の面において複数の隔壁３０によって空間的に区画された複数の凹部３１と、各凹部３１の開口部を塞ぐように各隔壁３０に接合された基板４とを備える。
【００２５】
隔壁３０は、例えば、基板３の一方の面に所定パターンの壁部（凸部）を形成することで得ることができる。このような凸部を形成する方法の一例としては、インクジェット法（液滴吐出法）、スクリーン印刷法、グラビア印刷法、ナノインプリント法等の印刷法、フォトリソグラフィー法等が挙げられる。他の例として、基板３上に凸部を成す材料の層を形成した後、この層を所定パターンに従って機械的、物理的又は化学的エッチング、あるいは、レーザ加工、型押し（エンボス）加工等の機械加工、ブラスト処理等することでも隔壁３０を形成することが可能である。
【００２６】
隔壁３０の材料としては、光を透過する材料であればよく、例示的に、エポキシ系樹脂、アクリル系樹脂、ウレタン系樹脂、メラミン系樹脂、フェノール系樹脂等の各種樹脂材料等が挙げられ、これらから選択された１種または２種以上を組み合わせて用いることができる。非限定的な一例としては、東京応化工業社製ＭＥＭＳ用永久フォトレジストTMMR  S2000を用いることができる。隔壁３０の基板３に垂直な方向の平均的な高さ、換言すれば、基板３及び４間の距離は、非限定的な一例として、１０〜５００μｍ程度に設定することができる。
【００２７】
また、隔壁３０の材料としては、１００μｍの厚さにおいて、可視光波長域で透過率が０．６以上ある材料を用いるのが好ましく、透過率が０．７５以上の材料を用いるのがより好ましい。
凹部３１の内壁と基板４とで形成された閉空間６はセルと呼ばれ、セル６のそれぞれには、所定の溶媒（分散媒）に電気泳動粒子５Ａ〜５Ｂを分散（懸濁）させた溶液（分散液）５が封入されている。電気泳動粒子５Ａ〜５Ｂの分散媒への分散は、例えば、ペイントシェーカー法、ボールミル法、メディアミル法、超音波分散法、攪拌分散法等のうちの１種または２種以上を組み合わせて実施することができる。
【００２８】
１つのセル６は、１つの画素（ピクセル）又は１つのサブピクセルに対応させることができ、例えば、フルカラー表示を行なう場合には、各３つのセル６をサブピクセルとして、３つのセル６で一画素（ピクセル）を構成し、各セル６に異なる３色のいずれかを対応させることができる。異なる３色としては、加法混色の３原色（赤、緑、青）、あるいは当該３原色とそれぞれ補色の関係にある減法混色の３原色（シアン、マゼンタ、イエロー）を用いることができる。
視認方向１００の平面視におけるセル６の形状は、例示的に、三角形、四角形、六角形、円形、楕円形等の形状とすることができる。仮に、セル６の形状を六角形として、セルパターンをハニカム形状とすれば、表示部（電気泳動表示体２）としての機械的強度を向上できる。
【００２９】
また、基板３の他方の面側（視認方向１００とは反対側）には、１セルあたり２つの電極８１及び８２が設けられ、基板４の視認方向１００から視認される側には、１セルあたり２つの電極７１及び７２が設けられている。つまり、１つのセル６には、合計４つの電極７１，７２，８１及び８２が設けられている。
便宜的に、図２の視認方向１００から視認される第１及び第２の電極７１及び７２は「表面電極」、視認方向１００とは反対側の第３及び第４の電極８１及び８２は「裏面電極」とそれぞれ称することがある。表面電極７１及び７２は、第１の電極部７０を成し、裏面電極８１及び８２は、視認方向１００にセル６を介在して第１の電極部７０と対向する第２の電極部８０を成している。
【００３０】
更に、セル６のそれぞれには、図２に示すように、粒子５Ａ〜５Ｂと比較して大きいサイズの白色に着色された電気泳動粒子である白色粒子５Ｃ（以下、白色大粒子５Ｃと称す）が封入されている。
白色大粒子５Ｃの形状は、図２に示す例では楕円形状となっており、その短径及び長径のサイズは、視認方向１００から見て、裏面電極８１及び８２が、白色大粒子５Ｃの下に隠れる程度のサイズとなる。
【００３１】
なお、上記の基板３、基板４、セル６、電極７１，７２，８１及び８２が、電気泳動表示装置１の表示部として機能する電気泳動表示体２を成す。電気泳動表示体２は、例示的に、ＥＰＤパネルやＥＰＤシートを含む概念である。
視認方向１００から視認される基板４、表面電極７１及び７２には、画素に相当するセル６内を視認できるように、可視光波長域の光線を透過する透明基板及び透明電極をそれぞれ用いることができる。
【００３２】
透明基板及び透明電極の材料としては、実質的に導電性を有するもので足りる。非限定的な一例としては、銅、アルミニウムまたはこれらを含む合金等の金属材料、カーボンブラック等の炭素系材料、ポリアセチレン、ポリピロール、またはこれらの誘導体等の電子導電性高分子材料、ポリビニルアルコール、ポリカーボネート、ポリエチレンオキシド等のマトリックス樹脂中に、ＮａＣｌ、ＬｉＣｌＯ4、ＫＣｌ、ＬｉＢｒ、ＬｉＮＯ3、ＬｉＳＣＮ等のイオン性物質を分散させたイオン導電性高分子材料、インジウム錫酸化物（ＩＴＯ）、フッ素ドープした錫酸化物（ＦＴＯ）、錫酸化物（ＳｎＯ2）、インジウム酸化物（ＩＯ）等の導電性酸化物材料のような各種導電性材料が挙げられ、これらのうちの１種または２種以上を組み合わせて用いることができる。透明電極の非限定的な実施例としては、東レ社製PET/ITOシートNXC1を用いることができる。なお、電極８１及び８２にも以上と同等の材料を用いることができる。
【００３３】
裏面電極８１及び８２は、回路基板９の一方の面に形成したものでもよい。回路基板９には、裏面電極８１及び８２のほか、例示的に、スイッチング素子として機能する薄膜トランジスタ（ＴＦＴ）や、電極７１，７２，８１及び８２に印加する電圧を制御する制御回路９１等を含む電気回路（図示省略）が設けられている。制御回路９１は、電極７１，７２，８１及び８２とそれぞれ電気的に接続されており、それぞれに印加する電圧の大きさ及び極性（正負）を個別に制御することができる。
【００３４】
基板３、基板４、及び隔壁３０は、それぞれ、例示的に、電気的な絶縁性とセル６内に封入された分散液の不透過性（保持性）とを有する。基板３、基板４、及び隔壁３０には、それぞれ、例えば、ガラス基板を用いてもよいし、可撓性を有するシート状部材を用いてもよい。基板３及び４に、可撓性を有するシート状部材を用いれば、例えば電子ペーパー等の変形自在な表示部を得ることができる。可撓性を有するシート状部材の材料としては、例えば、ポリオレフィン、液晶ポリマー、熱可塑性エラストマー等、またはこれらを主とする共重合体、ブレンド体、ポリマーアロイ等が挙げられ、これらのうちの１種または２種以上を混合して用いることができる。シート状部材の厚さは、ＥＰＤとしての柔軟性と強度との調和を図りつつ、適宜に設定可能であり、非限定的な一例として、２０〜５００μｍ程度とすることができる。
【００３５】
（電極形状及び配置）
基板４側の表面電極７１及び７２は、図３（ａ）に例示するように、視認方向１００から見た平面視において、矩形のセル６の面積を２分割したときの各領域に対応して設けることができる。同様に、基板３側の裏面電極８１及び８２は、回路基板９側から見た平面視において、矩形のセル６の面積を２分割した時の各領域に対応して設けることができる。ただし、電極７１，７２，８１及び８２の面積（サイズ）は、一部又は全部が相互に同等であってもよいし異なっていてもよい。
【００３６】
なお、電極７１，７２，８１及び８２の形状及び配置は、図３（ａ）に示す形状及び配置に限られない。例えば図３（ｂ）又は図３（ｃ）に示すような形状及び配置としてもよい。図３（ｂ）及び図３（ｃ）は、いずれも図３（ａ）に対応する電気泳動表示装置１の模式的部分平面図である。
図３（ｂ）に示す例は、視認方向１００の平面視において、セル６の周縁領域に沿って環状に延在するように表面電極７１を設け、当該環状の表面電極７１に囲まれるセル６の中央領域に表面電極７２を設けた例である。基板３側の裏面電極８１及び８２も、例示的に、セル６を挟んで対向する表面電極７１及び７２と同等の形状及び配置とすることができる。
【００３７】
すなわち、電気泳動表示体２を回路基板９側から見たときに、裏面電極８１は、セル６の周縁領域に沿って環状に延在するように設けることができ、裏面電極８２は、当該環状の電極８１に囲まれるセル６の中央領域に設けることができる。ただし、電極７１及び電極８１（電極７２及び電極８２）の形状（サイズも含む）及び配置は、同一でなくてもよい。
【００３８】
一方、図３（ｃ）に示す例は、視認方向１００の平面視において、矩形のセル６の対向する二辺側に、一定幅を有し各辺に沿って延在する帯状の表面電極７１を設け、当該電極７１に挟まれる領域に、一定幅を有し電極７１と並行に延在する帯状の表面電極７２を設けた例である。基板３側の裏面電極８１及び８２についても表面電極７１及び７２と同等の形状及び配置とすることができる。電極７２（８２）の幅（面積）は、図３（ｃ）中に例示するように電極７１（８１）の幅（面積）よりも大きく設定することができる。ただし、これに限定されない。
【００３９】
図３（ａ）〜（ｃ）のいずれの場合においても、表面電極７１及び７２間、並びに、裏面電極８１及び８２間は、それぞれ、互いに空間的に離間されて電気的に絶縁されており、各電極７１，７２，８１及び８２は、それぞれ、既述の制御回路９１から個別に（独立して）印加電圧の制御を受ける。電圧制御には、印加電圧の大きさ及び極性（正負）の制御が含まれる。
【００４０】
印加電圧の大きさを制御することで、図２に示すセル６内の電気泳動粒子の泳動速度を制御することができる。また、印加電圧の極性を制御することで、セル６内の電気泳動粒子を、視認側である基板４側に偏在させたり、逆に、視認側とは反対側である基板３側に偏在させたりすることができる。
さらに、図３（ａ）〜（ｃ）に例示する電極形状及び配置において、各電極７１，７２，８１及び８２に印加する電圧極性（正負）のパターンを制御することで、電気泳動粒子の極性（正又は負帯電）に応じて当該粒子の泳動経路をセル６内の異なる領域に偏らせることも可能となる。
【００４１】
（分散液）
次に、セル６に封入された分散液５について説明する。
図４は、セル６における色粒子の組み合わせ例を模式的に示す部分断面図である。
図４に示すセル６には、所定の溶媒（分散媒）に電気泳動粒子（図２の例では５Ａ〜５Ｂ）を分散（懸濁）させた溶液（分散液）５が充填、封入されている。分散液５をセル６（凹部３１）内に充填する方法の一例としては、凹部３１を有する基板３を分散液５に漬す方法、ディスペンサを用いた滴下法、インクジェット法（液滴吐出法）、スピンコート法、ディップコート法、スプレーコート法等の各種塗布法が挙げられる。滴下法、またはインクジェット法を用いれば、分散液５を目的のセル６に対して選択的に供給することができる。したがって、セル６内に無駄なく、確実に分散液５を供給することができる。なお、セル６に対して分散液５を供給する方向は、必ずしも鉛直下方に限られない。側方又は鉛直上方でも供給可能である。
【００４２】
分散媒としては、例えば、メチルセロソルブ等のセロソルブ類、酢酸メチル等のエステル類、アセトン等のケトン類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族復素環類、アセトニトリル等のニトリル類、Ｎ，Ｎ−ジメチルホルムアミド等のアミド類、カルボン酸塩またはその他の各種油類等が挙げられ、これらを単独または混合物として用いることができる。
【００４３】
中でも、分散媒としては、脂肪族炭化水素類（流動パラフィン）を主成分とするものが好ましい。流動パラフィンを主成分とする分散媒は、電気泳動粒子の凝集抑制効果が相対的に高く、かつ、セル６の構成材料との親和性（溶解性）が相対的に低いことから好ましい。これにより、ＥＰＤの表示性能が経時的に劣化することを防止または抑制することができる。また、流動パラフィンは、不飽和結合を有しないため耐候性に優れ、および安全性も高いという点からも好ましい。
また、分散媒中には、必要に応じて、例えば、電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加してもよい。
【００４４】
（電気泳動粒子）
分散液５中には、複数種の電気泳動粒子を含有させることができる。図２においては、５Ａ、５Ｂ及び５Ｃの３種類の粒子が分散液５中に含有されている様子を例示している。
上記の粒子５Ａ〜５Ｃとしては、例示的に、顔料粒子、樹脂粒子またはこれらの複合粒子のうちの少なくとも１種を用いることができる。
顔料粒子を組成する顔料としては、例えば、アニリンブラック、カーボンブラック等の黒色顔料、酸化チタン、酸化アンチモン等の白色顔料、モノアゾ、ジスアゾ、ポリアゾ等のアゾ系顔料、イソインドリノン、黄鉛、黄色酸化鉄等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００４５】
例えば、カーボンブラック、スピリットブラック、ランプブラック（Ｃ．Ｉ．Ｎｏ．７７２６６）、マグネタイト、チタンブラック、黄鉛、カドミウムイエロー、ミネラルファストイエロー、ネーブルイエロー、ナフトールイエローＳ、ハンザイエローＧ、パーマネントイエローＮＣＧ、クロムイエロー、ベンジジンイエロー、キノリンイエロー、タートラジンレーキ、赤口黄鉛、モリブデンオレンジ、パーマネントオレンジＧＴＲ、ピラゾロンオレンジ、ベンジジンオレンジＧ、カドミウムレッド、パーマネントレッド４Ｒ、ウオッチングレッドカルシウム塩、エオシンレーキ、ブリリアントカーミン３Ｂ、マンガン紫、ファストバイオレットＢ、メチルバイオレットレーキ、紺青、コバルトブルー、アルカリブルーレーキ、ビクトリアブルーレーキ、ファーストスカイブルー、インダンスレンブルーＢＣ、群青、アニリンブルー、フタロシアニンブルー、カルコオイルブルー、クロムグリーン、酸化クロム、ピグメントグリーンＢ、マラカイトグリーンレーキ、フタロシアニングリーン、ファイナルイエローグリーンＧ、ローダミン６Ｇ、キナクリドン、ローズベンガル（Ｃ．Ｉ．Ｎｏ．４５４３２）、Ｃ．Ｉ．ダイレクトレッド１、Ｃ．Ｉ．ダイレクトレッド４、Ｃ．Ｉ．アシッドレッド１、Ｃ．Ｉ．ベーシックレッド１、Ｃ．Ｉ．モーダントレッド３０、Ｃ．Ｉ．ピグメントレッド４８：１、Ｃ．Ｉ．ピグメントレッド５７：１、Ｃ．Ｉ．ピグメントレッド１２２、Ｃ．Ｉ．ピグメントレッド１８４、Ｃ．Ｉ．ダイレクトブルー１、Ｃ．Ｉ．ダイレクトブルー２、Ｃ．Ｉ．アシッドブルー９、Ｃ．Ｉ．アシッドブルー１５、Ｃ．Ｉ．ベーシックブルー３、Ｃ．Ｉ．ベーシックブルー５、Ｃ．Ｉ．モーダントブルー７、Ｃ．Ｉ．ピグメントブルー１５：１、Ｃ．Ｉ．ピグメントブルー１５：３、Ｃ．Ｉ．ピグメントブルー５：１、Ｃ．Ｉ．ダイレクトグリーン６、Ｃ．Ｉ．ベーシックグリーン４、Ｃ．Ｉ．ベーシックグリーン６、Ｃ．Ｉ．ピグメントイエロー１７、Ｃ．Ｉ．ピグメントイエロー９３、Ｃ．Ｉ．ピグメントイエロー９７、Ｃ．Ｉ．ピグメントイエロー１２、Ｃ．Ｉ．ピグメントイエロー１８０、Ｃ．Ｉ．ピグメントイエロー１６２、ニグロシン染料（Ｃ．Ｉ．Ｎｏ．５０４１５Ｂ）、金属錯塩染料、シリカ、酸化アルミニウム、マグネタイト、マグヘマイト、各種フェライト類、酸化第二銅、酸化ニッケル、酸化亜鉛、酸化ジルコニウム、酸化チタン、酸化マグネシウム等の金属酸化物や、Ｆｅ、Ｃｏ、Ｎｉのような磁性金属を含む磁性材料等が挙げられ、これらのうち１種または２種以上を組み合わせて用いることができる。
【００４６】
また、樹脂粒子を組成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。これらの粒子は、製造が容易であるとともに、荷電の制御を比較的容易に行うことができるという利点を有している。
顔料粒子の表面を他の顔料で被覆した粒子としては、例えば、酸化チタン粒子の表面を、酸化珪素や酸化アルミニウムで被覆したものを例示することができ、かかる粒子は、白粒子として用いることができる。また、カーボンブラック粒子またはその表面を被覆した粒子は、色粒子（黒色粒子）として用いることができる。
【００４７】
また、粒子５Ａ〜５Ｂの表面には、分散媒と相溶性の高い高分子を物理的に吸着させたり、化学的に結合させたりしてもよい。このようにすることで、粒子５Ａ〜５Ｂの分散液５中での分散性を向上させることができる。中でも、粒子表面からの離脱着の観点から、前記高分子は化学的に結合させるのが好ましい。かかる結合により、粒子５Ａ〜５Ｂの見かけの比重が小さくなる方向に作用して、粒子５Ａ〜５Ｂの分散媒における親和性、すなわち分散性を向上することができる。
【００４８】
高分子の一例としては、例えば、電気泳動粒子と反応性を有する基と帯電性官能基を有する高分子、電気泳動粒子と反応性を有する基と長鎖アルキル鎖、長鎖エチレンオキシド鎖、長鎖フッ化アルキル鎖、長鎖ジメチルシリコーン鎖等を有する高分子、および、電気泳動粒子と反応性を有する基と帯電性官能基と長鎖アルキル鎖、長鎖エチレンオキシド鎖、長鎖フッ化アルキル鎖、長鎖ジメチルシリコーン鎖等を有する高分子等が挙げられる。
【００４９】
このような高分子において、粒子５Ａ〜５Ｂと反応性を有する基（反応性基）の一例としては、エポキシ基、チオエポキシ基、アルコキシシラン基、シラノール基、アルキルアミド基、アジリジン基、オキサゾン基、およびイソシアネート基等が挙げられ、これらのうちの１種または２種以上を、粒子５Ａ〜５Ｂの種類等に応じて適宜に選択することができる。
粒子５Ａ〜５Ｂの平均粒径は、例えば、可視光域において十分な隠蔽率（表示コントラスト）が得られる一方、粒子５Ａ〜５Ｂの沈降し易くなって表示品質が劣化しない範囲で、適宜に選ぶことができる。このような範囲を満たす粒子５Ａ〜５Ｂの平均粒径は、非限定的な一例として、０．１〜１０μｍ程度である。
【００５０】
これに対して、白色大粒子５Ｃの粒径は、特に、粒子の数を単数とし、且つ断面が真円となる真円球形（図４に例示）である場合に、セル６の隔壁３０の高さに対して８０％程度の長さとなる粒径のものを選ぶことができる。但し、セル６の形状や、裏面電極８１及び８２の配設位置等に応じて、断面が楕円となる楕円球形のものを選ぶこともできる。
特に、図２に例示したように、セル６の幅方向（視認方向と直交する方向）の長さが隔壁の高さ方向の長さに対して長い場合は、高さ方向を短径、幅方向を長径とした楕円球形のものを選ぶことで、幅方向に面積を拡大できる。更に、幅方向に面積を拡大したことによって、隠蔽できる面積も大きくなるので裏面電極の面積を大きくすることも可能となる。但し、入射光を目的の方向に反射するために、球面がある程度の反射角度を有するように構成する必要があるため、楕円球形にする際に、必要な反射角度を確保できる程度の扁平率とする必要がある。
【００５１】
更に、粒子５Ａ及び５Ｂは、互いに正負反対の極性を有する荷電粒子とすることができる。例示的に、粒子５Ａは、正（＋）に帯電した正帯電粒子であり、粒子５Ｂは、負（−）に帯電した負帯電粒子である。
これに対して、白色大粒子５Ｃは、粒子５Ａ及び５Ｂの１つあたりの帯電量よりも十分に少ない帯電量の微弱帯電粒子か、あるいは実質的に極性を有さない無帯電粒子である。
ここで、図１７（ａ）〜（ｃ）は、白色大粒子５Ｃのセル６内における配置構成例を示す模式的な平面図である。なお、図１７（ａ）〜（ｃ）は、視認方向１００から観察したときの平面図である。
【００５２】
更に、本実施形態において、白色大粒子５Ｃは、単数の場合に、例えば、図１７（ａ）に示すように、各セル６の内側の底面部における、平面視で裏面電極８１及び８２を被覆できる位置に接着剤等によって固定配置される。
この場合、白色大粒子５Ｃは、電極７１，７２，８１及び８２により印加される電界の影響を受けないか、あるいは受けたとしても固定配置されているため溶媒中を移動しない。
【００５３】
また、２つの白色大粒子５Ｃを各セル６の内部に配置する場合は、例えば、図１７（ｂ）に示すように、電極の形状及び配置位置に合わせて白色大粒子５Ｃを楕円球形とし、平面視で裏面電極８１及び８２を被覆できる位置に並べて固定配置する。
また、４つの白色大粒子５Ｃを、各セル６の内部に配置する場合は、例えば、図１７（ｃ）に示すように、電極の形状及び配置位置に合わせて、白色大粒子５Ｃを真円球形とし、平面視で裏面電極８１及び８２を被覆できる位置に並べて固定配置する。
なお、上記各例において、白色大粒子５Ｃをセル６の内部に固定する構成を説明したが、この構成に限らず、白色大粒子５Ｃをセル６の内部に固定しない構成とすることもできる。
【００５４】
また、白色大粒子５Ｃの配置構成も、図１７に示す例に限らず、白色大粒子５Ｃの個数も含め別の配置構成としてもよい。
なお、裏面電極８１及び８２は、白色大粒子５Ｃによって、視認方向１００から平面視したときに、全体を覆い隠された状態となることが望ましい。しかし、白色大粒子５Ｃは、球形状をしておりかつセル６内部の裏面電極８１及び８２の上部近傍に色粒子５Ａ及び５Ｂが偏在できる空間を確保する必要があるため、実際は、全てを覆い隠すことは難しい。
【００５５】
また、各セル６の内側底面部は、少なくとも、視認方向１００から平面視で裏面電極８１，８２と重ならない部分を白色とするのが望ましい。これにより、白色表示をするときに、セル６の底面部の色が混ざってコントラストを低下させるのを防ぐ。
正帯電粒子５Ａは、正電荷を有する粒子であるから、４つの電極７１，７２，８１及び８２のうち、負の電圧が印加されている電極に吸着（付着）するように、当該電極に向かって泳動する。逆に、負帯電粒子５Ｂは、負電荷を有する粒子であるから、４つの電極７１，７２，８１及び８２のうち、正の電圧が印加されている電極に吸着するように、当該電極に向かって泳動する。
したがって、電極７１，７２，８１及び８２に印加する電圧極性のパターンを制御することで、帯電粒子５Ａ及び５Ｂを、それぞれ、セル６内において、４つの電極７１，７２，８１及び８２のうちのいずれかに対応する領域（空間）に偏在させることができる。
【００５６】
このようにして、電気泳動表示装置１は、視認方向１００から視認されるセル６内の色（以下、「表示色」ともいう。）を変更することが可能となる。また、前記電圧極性のパターンを制御することで、互いに正負反対極性に帯電した粒子５Ａ及び５Ｂのセル６内の泳動経路を個別に制御することも可能となる。したがって、表示色の切り替えの際に、帯電粒子５Ａ及び５Ｂを互いに異なる経路で基板３及び４間を泳動させることができ、互いの付着（カップリング）確率を低減することが可能である。
【００５７】
（色の組み合わせ）
１つのセル６内の粒子５Ａ〜５Ｂの色は、それぞれ異なる色とすることができる。粒子５Ａ〜５Ｂの色としては、それぞれ、例示的に、黒色または白色と黒色の中間色（灰色）などの無彩色や、赤（Ｒ）、緑（Ｇ）、青（Ｂ）の加法混色の３原色、シアン（Ｃｙ）、マゼンタ（Ｍａ）、イエロー（Ｙｅ）の減法混色の３原色等の有彩色のうちから、いずれかを任意に選択することができる。
但し、粒子５Ｃは、後述する反射部材としての役割を果たすために、必ず白色（Ｗ）となる。
【００５８】
例示的に、粒子５ＡをＲ、Ｇ及びＢのいずれか１色とするとともに、粒子５ＢをＲ、Ｇ及びＢの補色に相当するシアン（Ｃｙ）、マゼンタ（Ｍａ）及びイエロー（Ｙｅ）のいずれか１色とする組み合わせが可能である。あるいは、逆に、粒子５Ａをシアン（Ｃｙ）、マゼンタ（Ｍａ）及びイエロー（Ｙｅ）のいずれか１色とするとともに、粒子５ＢをＲ、Ｇ及びＢのいずれか１色とする組み合わせも可能である。
【００５９】
換言すれば、セル６（分散液５）は、「白色大粒子５Ｃ＋色粒子５Ａ＋色粒子５Ａの補色粒子５Ｂ＋無色溶媒」の組み合わせで構成することができる。なお、色粒子５Ａは、加法混色の３原色のうちの１色に対応し、粒子５Ｂは、当該３原色と補色関係にある減法混色の３原色のうちの１色に対応する。
例えば、各セル６をサブピクセルとして、各３つのセル６（第１〜第３のセル６）で一画素を構成したとする。
【００６０】
この場合は、第１のセル６において、例えば、「色粒子５Ａ」を赤（Ｒ）粒子とすれば、赤粒子の補色粒子はシアン（Ｃｙ）粒子であるから、第１のセル６には、白（Ｗ）粒子と、赤粒子、シアン粒子及び無色溶媒を含む分散液５とが封入される。また、第２のセル６において、例えば、「色粒子５Ａ」を緑（Ｇ）とすれば、緑粒子の補色はマゼンタ（Ｍａ）粒子であるから、第２のセル６には、白粒子と、緑粒子、マゼンタ粒子及び無色溶媒を含む分散液５とが封入される。同様に、第３のセル６において、例えば、「色粒子５Ａ」を青（Ｂ）粒子とすれば、青粒子の補色粒子はイエロー（Ｙｅ）粒子であるから、第３のセル６には、白粒子と、青粒子、イエロー粒子及び無色溶媒を含む分散液５とが封入される。
【００６１】
以上をまとめると、セル６における分散液５としては、図４（ａ）及び（ｂ）に例示するように、３種類の構成（組み合わせ）＃１〜＃３を選ぶことができる。これらの３種類の構成＃１〜＃３のセル６において視認方向１００から視認される粒子５Ａ〜５Ｃの色の組み合わせが制御されることで、電気泳動表示体２においてフルカラー表示を行なうことができる。
【００６２】
（セルの配置構成）
図５（ａ）〜（ｃ）は、第１〜第３のセル６（＃１〜＃３）の配置構成例を示す平面図である。なお、図５は、視認方向１００から見たときの平面図である。
以下、一画素を構成する第１〜第３のセル６について、第１のセル６の構成を＃１、第２のセル６の構成を＃２、第３のセル６の構成を＃３として、これら＃１〜＃３の配置構成を説明する。また、第１のセル６、第２のセル６及び第３のセル６を、セル＃１、セル＃２及びセル＃３と称す。
【００６３】
ここで、各セル６の平面視の形状を正方形とし、セル＃１の表示色を赤色、セル＃２の表示色を緑色、セル＃３の表示色を青色とする。
セル＃１〜＃３は、例えば、図５（ａ）に示すように、１行目を、行方向にセル＃１、セル＃３、セル＃２、セル＃１、セル＃３、セル＃２、・・・の順に配置されるように構成する。更に、２行目を、行方向にセル＃２、セル＃１、セル＃３、セル＃２、セル＃１、セル＃３、・・・の順に配置され、３行目を、行方向にセル＃３、セル＃２、セル＃１、セル＃３、セル＃２、セル＃１、・・・の順に配置されるように構成する。４行目以降は、１行目〜３行目の繰り返しとなる。つまり、隣接する各セル６の粒子５Ａ及び５Ｂの色が互いに異なるように配置される。
【００６４】
他にも、例えば、図５（ｂ）に示すように、１行目を、行方向にセル＃１、セル＃３、セル＃２、セル＃１、セル＃３、セル＃２、・・・の順に配置されるように構成する。更に、２行目を、行方向にセル＃２、セル＃１、セル＃３、セル＃２、セル＃１、セル＃３、・・・の順に配置されるように構成することができる。なお、３行目以降は、１行目〜２行目の繰り返しとなる。
【００６５】
また、各セル６の平面視の形状を六角形とした場合は、例えば、図５（ｃ）に示すように、１行目は、セル＃１の下辺にセル＃３の上辺が隣接し、セル＃１の右下辺にセル＃２の左上辺が隣接した構成を単位ブロックとして、この単位ブロックを複数行方向に連続させて配置するように構成する。このとき、各単位ブロックのセル＃２の右上辺には、隣接する単位ブロックのセル＃１の左下辺が隣接し、各単位ブロックのセル＃２の右下辺には、隣接する単位ブロックのセル＃３の左上辺が隣接するように構成する。
【００６６】
更に、２行目は、１行目の単位ブロックを左右反転させ、この姿勢で単位ブロックを行方向に複数連続させて配置するように構成する。このとき、２行目の各単位ブロックのセル＃２の上辺が１行目のセル＃３の下辺に隣接し、２行目の各単位ブロックのセル＃１の上辺が１行目のセル＃２の下辺に隣接するように構成する。
３行目以降は、１行目〜２行目の繰り返しとなる。このとき、奇数行目の各単位ブロックのセル＃１の上辺が偶数行目のセル＃２の下辺に隣接し、奇数行目の各単位ブロックのセル＃２の上辺が偶数行目のセル＃３の下辺に隣接するように構成する。
なお、セル＃１〜＃３の配置構成は、図５（ａ）〜（ｃ）の配置構成に限らず、セル＃１〜＃３が画素を形成可能に隣接し、且つ隣接する各セル６の粒子５Ａ及び５Ｂの色が互いに異なるように配置されれば他の配置構成としてもよい。
【００６７】
（混色の仕組み）
図６（ａ）〜（ｃ）は、３つのサブピクセルによる混色の仕組みを例示した電気泳動表示装置の模式的な部分断面図である。なお、図６（ａ）〜（ｂ）においては、セル＃１、セル＃２、セル＃３の順に配置された例を示している。
ここで、或る構成＃ｉ（ｉ＝１〜３のいずれか）のセル６を原色系（赤、緑又は青）の色粒子５Ａによる単色表示とし、残り２つの構成＃ｊ（ｊ＝１〜３でｊ≠ｉ）のセル６をそれぞれ当該色粒子５Ａの補色とは異なる補色系（シアン、マゼンタ又はイエロー）の２色の色粒子５Ｂによる単色表示とする。あるいは、或る構成＃ｉのセル６を補色系（シアン、マゼンタ又はイエロー）の色粒子５Ｂによる単色表示とし、残り２つの構成＃ｊのセル６をそれぞれ原色系（赤、緑又は青）の２色の色粒子５Ａによる単色表示とする。
【００６８】
いずれの場合も、構成＃ｊの２セル（２サブピクセル）分の表示色は、混色効果により、構成＃ｉの１つのセル６で表示している原色系あるいは補色系の１色を表示しているのと等価である。したがって、３サブピクセルで加法混色の３原色（赤、緑及び青）あるいは減法混色の３原色（シアン、マゼンタ及びイエロー）の１色を表示できる。
一例を挙げると、図６の（ａ）〜（ｃ）に模式的に示すように、セル＃１を赤色粒子５Ａによる赤色表示に制御するとともに、セル＃２をマゼンタ色粒子５Ｂによるマゼンタ色表示に制御し、かつ、セル＃３をイエロー色粒子５Ｂによるイエロー色表示に制御する。このとき、マゼンタ色とイエロー色との混色は、視認方向１００から観察した場合に並置混色により赤色を表示しているのと等価である。
【００６９】
したがって、３つのセル６、すなわち３サブピクセル分の色面積を使って赤を表示することができる。他の色についても同様に、３サブピクセル分の色面積を使って目的の色を表示することが可能である。具体的に、セル＃２の粒子５Ａの緑色と、セル＃１の粒子５Ｂのシアン色及びセル＃３の粒子５Ｂのイエロー色の混色による緑色との３サブピクセル分の色面積を使って緑色を表示することができる。また、セル＃３の粒子５Ａの青色と、セル＃１の粒子５Ｂのシアン色及びセル＃２の粒子５Ｂのマゼンタ色の混色による青色との３サブピクセル分の色面積を使って青色を表示することができる。
【００７０】
加えて、本実施形態のセル＃１〜セル＃３の構成であれば、例えば、図６（ａ）に示すように、視認方向１００からセル＃２に入射した入射光Ｌ１が、まず、セル＃２の内側において表面電極７１，７２の付近に表示色として偏在しているマゼンタ色の粒子５Ｂを透過する。そして、マゼンタ色粒子５Ｂを透過した入射光Ｌ１は、マゼンタ色光となってセル＃２内を進み、白色大粒子５Ｃの表面で反射する。本実施形態の白色大粒子５Ｃは、球形状を有しているため、球面（反射角度が連続で変化する面）で反射したマゼンタ色光は散乱する。散乱したマゼンタ色光の一部は、再びセル＃２内のマゼンタ色粒子５Ｂを透過して視認側へと出射され、残りが隣接するセル＃３へと入射する。
【００７１】
つまり、図６（ａ）に示すように、球面で反射した残りのマゼンタ色光Ｌ２は、透光性を有する材料で構成された隔壁３０を透過して、隣接するセル＃３へと入射する。
セル＃３へと入射したマゼンタ色光Ｌ２は、次に、セル＃３の白色大粒子５Ｃの球面で反射（散乱）する。この反射したマゼンタ色光の一部は、セル＃３の内側において表面電極７１，７２側に表示色として偏在しているイエロー色粒子５Ｂを透過して、視認側へと出射する。
これにより、セル＃３の表示面からは、セル＃２から入射したマゼンタ色光の一部がイエロー色粒子５Ｂを透過することにより積層混色されてなる赤色の混色光Ｌ３が視認側へと出射される。
【００７２】
また、セル＃２で散乱したマゼンタ色光はセル＃１にも入射する（図示省略）、このセル＃１へと入射したマゼンタ色光Ｌ２は、セル＃１の白色大粒子５Ｃの球面で反射（散乱）する。この反射したマゼンタ色光の一部は、セル＃１の内側において表面電極７１，７２側に表示色として偏在している赤色粒子５Ａを透過して、表示面から視認側へと出射する。
これにより、セル＃１の表示面からは、セル＃２から入射したマゼンタ色光の一部が赤色粒子５Ｂを透過することにより積層混色されるが、この場合は、赤色とマゼンタ色とのかけ算となり赤色成分のみが残る。従って、赤色光が視認側へと出射される。
【００７３】
一方、図６（ｂ）に示すように、視認方向１００からセル＃３に入射した入射光Ｌ１は、まず、セル＃３の内側において表面電極７１，７２の付近に表示色として偏在しているイエロー色粒子５Ｂを透過する。そして、イエロー色粒子５Ｂを透過した入射光Ｌ１は、イエロー色光となってセル＃３内を進み、白色大粒子５Ｃの表面で反射する。反射したイエロー色光の一部は、再びセル＃３内のイエロー色粒子５Ｂを透過して視認側へと出射され、残りが隣接するセル＃２へと入射する。
【００７４】
セル＃２へと入射したイエロー色光Ｌ２は、次に、セル＃２の白色大粒子５Ｃの球面で反射（散乱）することになる。この反射したイエロー色光の一部は、セル＃２の内側において表面電極７１，７２側に表示色として偏在しているマゼンタ色粒子５Ｂを透過して、表示面から視認側へと出射する。
これにより、セル＃２の表示面からは、セル＃３から入射したイエロー色光の一部がマゼンタ色粒子５Ｂを透過することにより積層混色されてなる赤色の混色光Ｌ３が視認側へと出射される。
【００７５】
また、図６（ａ）及び（ｂ）に示すように、視認方向１００からセル＃１に入射した入射光Ｌ１は、セル＃１の内側において表面電極７１，７２の付近に表示色として偏在している赤色粒子５Ａを透過する。そして、赤色粒子５Ａを透過した入射光Ｌ１は、赤色光となってセル＃１内を進み、白色大粒子５Ｃの球面で反射（散乱）する。反射した赤色光の一部は、再びセル＃１内の赤色粒子５Ａを透過して視認側へと出射され、残りが隣接するセル＃２などへと入射する。
【００７６】
セル＃２へと入射した赤色光は、セル＃２の白色大粒子５Ｃの球面で反射（散乱）することになる。この反射した赤色光の一部は、セル＃２の内側において表面電極７１，７２側に表示色として偏在しているマゼンタ色粒子５Ｂを透過することにより積層混色されるが、先述したように赤色光となって視認側へと出射される。
ここで、ｘｙｚ色度図（図示省略）における、赤色光のｘ，ｙ，ｚ値をＲｅ、緑色光のｘ，ｙ，ｚ値をＧｒ、青色光のｘ，ｙ，ｚ値をＢｕ、シアン色光のｘ，ｙ，ｚ値をＣ、マゼンタ色光のｘ，ｙ，ｚ値をＭ、イエロー色光のｘ，ｙ，ｚ値をＹとする。
【００７７】
例えば、セル＃２に入射した入射光Ｌ１の５０％が、セル＃２における白色大粒子５Ｃの球面で反射してセル＃３に入射した場合に、セル＃３から出射される赤色の積層混色光は、一画素を構成するサブピクセル数が３であることから、「１／３×（Ｍ／２×Ｙ／２）」と表現することができる。
同様に、例えば、セル＃３に入射した入射光Ｌ１の５０％が、セル＃３における白色大粒子５Ｃの球面で反射してセル＃２に入射した場合に、セル＃２から出射される赤色の積層混色光は、「１／３×（Ｍ／２×Ｙ／２）」と表現することができる。
【００７８】
また、例えば、セル＃２における球面で反射した入射光Ｌ１の残りの５０％が、マゼンタ色光としてセル＃２の表示面から出射され、セル＃３における球面で反射した入射光Ｌ１の残りの５０％が、イエロー色光としてセル＃３の表示面から出射されたとする。この場合に、セル＃２及びセル＃３の並置よる混色は、「１／３×（Ｍ／２＋Ｙ／２）」と表現することができる。
また、例えば、セル＃１に入射した入射光Ｌ１の５０％が、セル＃１における白色大粒子５Ｃの球面で反射してセル＃２に入射した場合に、セル＃２から出射される赤色の積層混色光は、「１／３×（Ｒｅ／２×Ｍ／２）」と表現することができる。
【００７９】
また、セル＃１における球面で反射した入射光Ｌ１の残りの５０％が、セル＃１の表示面から赤色光として出射されたとすると、この赤色光は「１／３×（Ｒｅ／２）」と表現することができる。
以上より、セル＃１〜＃３において、視認方向１００から観測される表示色は、セル＃２及びセル＃３における目的とする混色成分のみを考慮すると、「Ｒｅ／６＋（２／３×（Ｍ／２＋Ｙ／２））＋（２／３×（Ｍ／２×Ｙ／２））」と表現することができる。なお、前記式の第２項はＭ（＃２）及びＹ（＃３）の並置混色を、第三項はＭ及びＹの積層混色を示す。
【００８０】
なお、図６（ｃ）に示すように、セル＃１〜＃３の白色大粒子５Ｃの代わりに、複数の白色小粒子を用いた場合には、隣接するセル６への白色小粒子５Ｃでの反射光の量が少なくなるため積層混色が殆ど生じない。そのため、視認方向１００から観測される表示色は、入射光の略全てが各セルから出射されたとして、「Ｒ／３＋Ｍ／３＋Ｙ／３」となる。但し、セルのサイズが大きくなるにつれて、並置混色が起きにくくなるため、セルのサイズによっては、表示色が白っぽくなるなど、彩度が低下する場合がある。
【００８１】
これに対して、図６（ａ）〜（ｂ）に例示した本実施形態の構成であれば、セル＃１の赤色光と、セル＃２のマゼンタ色光及びセル＃３のイエロー色光の並置混色による赤色光と、セル＃２において積層混色してなる赤色光と、セル＃３において積層混色してなる赤色光とを足し合わせた赤色光によって赤色表示を行うことができる。
つまり、３つのセル＃１〜＃３の面積により赤色を表示することができると共に、並置だけの混色と比較して、積層混色による赤色成分も含むことになるので、図６（ｃ）などの構成と比較して、彩度の大きい赤色表示を行うことができる。
このことは、セル＃２を緑色表示、セル＃１をシアン色表示及びセル＃３をイエロー色表示とした場合、セル＃３を青色表示、セル＃１をシアン色表示及びセル＃２をマゼンタ色表示とした場合等においても同様となる。
【００８２】
また、「シアン色（セル＃１）＋緑色（セル＃２）＋青色（セル＃３）」、「赤色（セル＃１）＋マゼンタ色（セル＃２）＋青色（セル＃３）」、「赤色（セル＃１）＋緑色（セル＃２）＋イエロー色（セル＃３）」などの組み合わせについても同様に、１つのセルの表示色を、残り２つのセルにおいて並置混色と積層混色との双方を合わせて表示することができる。
以上のことから、例えば、セルのサイズが大きいなどの理由で並置混色が生じにくい場合でも、各３つのセル＃１〜＃３によって、彩度の比較的大きい色表示を行うことができる。
【００８３】
（電圧極性パターン）
（４電極構造）
図７は、セル＃１〜セル＃３の表示色の組み合わせ例を示す図である。また、図８は、４電極構造の場合における電圧極性のパターンの一例を示す図である。また、図９（ａ）及び（ｂ）は、４電極構造及び３電極構造の場合の電極の表記例を示す図である。また、図１０〜図１２は、赤色表示、白色表示及び黒色表示を行う場合の各電極の電圧極性の一例を示す電気泳動表示装置の模式的な部分断面図である。
【００８４】
図７に示すように、セル＃１〜セル＃３は、単色の表示色として白（Ｗ）、赤（Ｒ）、緑（Ｇ）、青（Ｂ）、シアン（Ｃｙ）、マゼンタ（Ｍａ）、イエロー（Ｙｅ）及び黒（Ｋ）の８色のいずれかを表示する。
なお、図７における比較例は、３つのセル＃１〜＃３に、（Ｒ、Ｗ、Ｋ）、（Ｇ、Ｗ、Ｋ）、（Ｂ、Ｗ、Ｋ）の組み合わせでそれぞれ色粒子が含有されており、当該３つのセルを用いて同じ８色のいずれかを表示する場合の個々のセルの表示色の組み合わせを示している。
【００８５】
比較例では、Ｒ、Ｇ及びＢのいずれか１色を表示する場合、３つのセル＃１〜＃３のうち、いずれか１つが目的の表示色であるＲ、Ｇ又はＢを表示し、他の２つが無彩色（Ｗ又はＫ）表示となる。したがって、目的の表示色を実際に表示しているピクセルの面積率は１／３である。比較例において赤色を表示する場合は、例えば、２つのセル＃２〜＃３を黒色表示とし、１つのセル＃１で赤色表示を行うことになる。
【００８６】
これに対し、本実施形態の場合は、１つのセル６で或る色粒子による表示を行なうとともに、２つのセル６で当該色粒子と補色関係にある色粒子とは異なる２色の色粒子による表示をそれぞれ行なう。したがって、目的の表示色（赤、緑、青、シアン、マゼンタ、イエロー）を表示しているピクセルの面積率は１００％とすることができ、単色表示の効率、彩度を向上することができる。
なお、白色表示を行なう場合は、３つのセル＃１〜＃３のいずれも白色大粒子５Ｃによる白色表示とすればよい。３ピクセル分のセル６のいずれも白色大粒子５Ｃによる白色表示が可能なので、白色表示の反射率が低下することを最小限に抑制することができ、より明度の高い白らしい白（理想的には純白）を表現することができる。
【００８７】
また、黒色表示を行なう場合は、３つのセル＃１〜＃３のいずれも、Ｒ、Ｇ及びＢのいずれか１色の色粒子と、シアン、マゼンタ及びイエローのいずれか１色の色粒子とを同時に表示する状態とすればよい。換言すれば、第１のセル＃１を、色粒子５Ａとともに色粒子５Ｂによる表示状態に制御する場合には、第２及び第３のセル＃２及び＃３のそれぞれを、色粒子５Ｂとともに色粒子５Ａによる表示状態に制御する。
【００８８】
この場合、３つのセル６がいずれも色粒子５Ａ及び５Ｂによる混色表示となり、Ｒ、Ｇ、Ｂ、シアン、マゼンタ及びイエローの合計６色の混色により黒が表現される。したがって、Ｒ、Ｇ及びＢの３色、あるいはシアン、マゼンタ及びイエローの３色の混色で黒を表示する場合よりも、黒色表示の吸収率を向上することができ、より明度の低い黒らしい黒を表現することができる。
以上のような３つのセル＃１〜＃３の表示色制御は、１つのセル６に設けられた４つの電極７１，７２，８１及び８２に印加する電圧の極性を個別に制御する、換言すれば、電圧極性のパターンを制御することで実現できる。
【００８９】
図８に示す電圧極性パターンにおいて、色粒子５Ａ及び５Ｂのセル６における偏在領域や電気泳動経路を個別的に制御可能なように、色粒子５Ａ及び５Ｂは互いに正負反対極性に帯電している。例示的に、Ｒ，Ｇ及びＢのいずれか１色である色粒子５Ａは正、シアン、マゼンタ及びイエローのいずれか１色である補色粒子５Ｂは負にそれぞれ帯電しているものと仮定する。また、図９（ａ）に模式的に示すように、電極７１，７２，８１及び８２を図８ではそれぞれＸ１，Ｘ２，Ｘ３及びＸ４で表わしている。ここで、電極Ｘ１及びＸ３のペアは、正極性（＋）又はグランド（ｇ）の２状態をとることができ、電極Ｘ２及びＸ４のペアは、負極性（−）又はグランド（ｇ）の２状態をとることができるものとしている。
【００９０】
既述の図２に示す制御回路９１は、図８に例示する電圧極性パターンに基づいて個々の電極Ｘ１，Ｘ２，Ｘ３及びＸ４の極性を制御することで、既述のように各単色表示の効率、彩度を向上することができる。既述の電圧極性パターンの情報はテーブル形式のデータ等として制御回路９１内のメモリ（図示省略）に記憶しておくことができる。
以下、３つのセル＃１、＃２及び＃３で赤色（Ｒ）、白色（Ｗ）、黒色（Ｋ）を表示する場合の電極極性制御を一例として説明する。
【００９１】
（赤色表示）
３つのセル＃１、＃２及び＃３で赤色（Ｒ）を表示する場合、図１０の模式的部分断面図に例示するように、制御回路９１は、セル＃１について、一方の表面電極Ｘ１の極性をグランド状態に、他方の表面電極Ｘ２の極性をＲ粒子の帯電極性（＋）とは反対極性（−）にそれぞれ制御する。更に、制御回路９１は、一方の裏面電極Ｘ３（又はＸ４）の極性をＲ粒子の帯電極性（＋）と同極性（＋）に、他方の裏面電極Ｘ４（又はＸ３）の極性をグランド状態にそれぞれ制御する。
【００９２】
また、セル＃２について、制御回路９１は、一方の表面電極Ｘ１の極性をＭａ粒子の帯電極性（−）とは反対極性（＋）に、他方の表面で極Ｘ２の極性をグランド状態にそれぞれ制御する。更に、制御回路９１は、一方の裏面電極Ｘ３（又はＸ４）の極性をグランド状態に、他方の裏面電極Ｘ４（又はＸ３）の極性をＧ粒子の帯電極性（＋）とは反対極性（−）に制御する。
また、セル＃３について、制御回路９１は、一方の表面電極Ｘ１の極性をＹｅ粒子の帯電極性（−）とは反対極性（＋）に、他方の表面電極Ｘ２の極性をグランド状態にそれぞれ制御する。更に、制御回路９１は、一方の裏面電極Ｘ３（又はＸ４）の極性をグランド状態、他方の裏面電極Ｘ４（又はＸ３）の極性をＢ粒子の帯電極性（＋）とは反対極性（−）に制御する。
【００９３】
以上の極性制御により、セル＃１では正帯電のＲ粒子、セル＃２では負帯電のＭａ粒子、セル＃３では負帯電のＹｅ粒子が、それぞれ視認側である表面電極Ｘ１及びＸ２側へ引き寄せられる一方、セル＃１、＃２及び＃３のそれぞれにおいてＲ、Ｍａ及びＹｅの各粒子と反対極性に帯電し、かつ、補色関係にある粒子が、それぞれ裏面電極Ｘ４側へ引き寄せられる。
【００９４】
従って、セル＃１は、Ｒ粒子による赤色を表示し、セル＃２及び＃３は、当該Ｒ粒子と補色関係にあるＣｙ粒子とは異なる２色のＭａ粒子及びＹｅ粒子による並置混色表示（赤色表示と等価）となる。加えて、セル＃２に入射しそのＷ粒子の球面で反射して隔壁３０を介してセル＃３に入射したＭａ光は、セル＃３のＷ粒子の球面で反射して、セル＃３の表示面側に偏在するＹｅ粒子を透過することでＭａとＹｅが積層混色された混色光（赤色光と等価）となって視認側に出射する。更に、セル＃３に入射しそのＷ粒子の球面で反射して隔壁３０を介してセル＃２に入射したＹｅ光は、セル＃２のＷ粒子の球面で反射して、セル＃２の表示面側に偏在するＭａ粒子を透過することでＹｅとＭａが積層混色された混色光（赤色光と等価）となって視認側に出射する。
したがって、セル＃１の赤色光、セル＃２の積層混色光、セル＃３の積層混色光、セル＃２及びセル＃３の並置混色光によって、３つのセル＃１、＃２及び＃３がそれぞれ赤色表示となる。
【００９５】
（白色表示）
３つのセル＃１、＃２及び＃３で白色（Ｗ）を表示する場合、図１１の模式的部分断面図に例示するように、制御回路９１は、セル＃１、＃２及び＃３それぞれの表面電極Ｘ１及びＸ２の極性をグランド状態（無極性）に制御する。更に、制御回路９１は、セル＃１、＃２及び＃３それぞれの裏面電極Ｘ３及びＸ４の極性を互いに正負反対極性に制御する。なお、裏面電極Ｘ３及びＸ４のいずれを正又は負に制御するかは、セル＃１〜＃３毎に同じでもよいし異なっていてもよい。
これにより、各セル＃１、＃２及び＃３において、正又は負に帯電している色粒子５Ａ及び５Ｂは、裏面電極Ｘ３及びＸ４側にそれぞれ引き寄せられ、白色大粒子５Ｃの下に隠れる。したがって、３つのセル＃１、＃２及び＃３がそれぞれ白色表示となる。
【００９６】
（黒色表示）
３つのセル＃１、＃２及び＃３で黒色（Ｋ）を表示する場合、図１２の模式的部分断面図に例示するように、制御回路９１は、セル＃１、＃２及び＃３それぞれの表面電極Ｘ１及びＸ２の極性を互いに正負反対極性に制御する。更に、制御回路９１は、セル＃１、＃２及び＃３それぞれの裏面電極Ｘ３及びＸ４の極性をグランド状態に制御する。なお、表面電極Ｘ１及びＸ２のいずれを正又は負に制御するかは、セル＃１〜＃３毎に同じでもよいし異なっていてもよい。
【００９７】
これにより、セル＃１ではＣｙ粒子とＲ粒子、セル＃２ではＭａ粒子とＧ粒子、セル＃３ではＹｅ粒子とＢ粒子のそれぞれ２粒子が、表面電極Ｘ１及びＸ２側へ引き寄せられる。その結果、セル＃１、＃２及び＃３のそれぞれにおいて、色粒子５Ａ及び５Ｂによって白色大粒子５Ｃが覆い隠される。したがって、３つのセル＃１、＃２及び＃３がそれぞれ黒色表示になると共に、Ｒ、Ｇ及びＢの３色、あるいはシアン、マゼンタ及びイエローの３色の混色で黒を表示する場合よりも、黒色表示の吸収率を向上することができ、より明度の低い黒らしい黒を表現することができる。
【００９８】
なお、図８に示す電圧極性パターンはあくまでも一例であり、図７に例示した表示色の組み合わせが可能であれば、適宜に変更してよい。例示的に、制御回路９１は、或るタイミングＴ１（Ｔ１は正の実数）において、電極Ｘ１及びＸ２（又は電極Ｘ３及びＸ４）の一方が正極性又は負極性であり、かつ、他方がグランドの状態から、その後のタイミングＴ２（＞Ｔ１）において、グランド状態にある電極を正極性又は負極性に制御してもよい。換言すれば、各電極Ｘ１及びＸ２（又は電極Ｘ３及びＸ４）の一方のみを正又は負極性に制御した後、双方を正又は負の同じ極性に制御してもよい。これにより、色粒子５Ａ又は５Ｂをいったん負又は正極性の電極近傍に偏在させた後、各電極Ｘ１及びＸ２（又は電極Ｘ３及びＸ４）近傍に分散させる制御が可能となる。
【００９９】
また、制御回路９１は、各電極Ｘ１〜Ｘ４に印加する電圧の極性及び／又は大きさを制御することで、セル６内における色粒子５Ａ又は５Ｂと視認側である基板４（図２参照）との間の距離を制御することも可能である。当該制御によって電気泳動表示装置１（電気泳動表示体２）は中間色を表示することも可能となる。
また、図１２に例示したように３つのセル＃１〜＃３で黒を表示する場合、制御回路９１は、表面電極Ｘ１及びＸ２の極性を互いに反対極性に制御した後、当該表面電極Ｘ１及びＸ２の極性を所定時間内に少なくとも１回入れ替えてもよい。当該極性入れ替えを行なうことで、セル＃１〜＃３の視認側近傍に交番電界が発生し、視認側である表面電極Ｘ１及びＸ２近傍に引き寄せられた色粒子５Ａ及び５Ｂを混合することができる。その結果、色粒子５Ａ及び５Ｂが局所的に偏在することを解消あるいは軽減することができ、黒色表示の反射率を低減して黒色表示の彩度を小さくすることができる。したがって、より黒らしい黒を表現することが可能となる。
【０１００】
（３電極構造）
次に、電極構造を３電極構造とした場合を説明する。
ここで、図１３は、３電極構造の場合における電圧極性のパターンの一例を示す図である。また、図１４及び図１５は、赤色表示及び白色表示を行う場合の各電極の電圧極性の一例を示す電気泳動表示装置の模式的な部分断面図である。
ここでは、図１４の模式的部分断面図に例示するように、１つのセル６につき、１つの表面電極７３と２つの裏面電極８１及び８２との計３つの電極を設ける。各電極７３、８１及び８２の極性を制御回路９１によって個別的に制御することで、白色表示を含む各色（８色）の表示が可能となる。なお、表面電極７３は、図３（ｄ）に示すように、矩形状とすることができる。
【０１０１】
図１３に示す電圧極性パターンにおいて、色粒子５Ａ及び５Ｂのセル６における偏在領域や電気泳動経路を個別的に制御可能なように、色粒子５Ａ及び５Ｂは互いに正負反対極性に帯電している。例示的に、Ｒ，Ｇ及びＢのいずれか１色である色粒子５Ａは正、シアン、マゼンタ及びイエローのいずれか１色である補色粒子５Ｂは負にそれぞれ帯電しているものと仮定する。色粒子５Ａ及び補色粒子５Ｂの帯電極性が正負逆転する場合は、表５に例示する電極極性の正負を逆転させればよい。また、図９（ｂ）に模式的に示すように、３電極構造においては、電極７３，８１及び８２を図１３ではそれぞれＸ１，Ｘ３及びＸ４で表わしている。
以下、３つのセル＃１、＃２及び＃３で赤色（Ｒ）及び白色（Ｗ）を表示する場合の電極極性制御を一例として説明する。
【０１０２】
（赤色表示）
３つのセル＃１、＃２及び＃３で赤（Ｒ）を表示する場合、図１４の模式的部分断面図に例示するように、制御回路９１は、セル＃１について、表面電極Ｘ１の極性をＲ粒子の帯電極性（＋）とは反対極性（−）に制御するとともに、一方の裏面電極Ｘ３（又はＸ４）の極性をグランド状態、他方の裏面電極Ｘ４（又はＸ３）の極性をＣｙ粒子の帯電極性（−）とは反対極性（＋）にそれぞれ制御する。
【０１０３】
また、セル＃２について、制御回路９１は、表面電極Ｘ１の極性をＭａ粒子の帯電極性（−）とは反対極性（＋）に制御するとともに、一方の裏面電極Ｘ３（又はＸ４）の極性をグランド状態、他方の裏面電極Ｘ４（又はＸ３）の極性をＧ粒子の帯電極性（＋）とは反対極性（−）に制御する。
また、セル＃３について、制御回路９１は、表面電極Ｘ１の極性をＹｅ粒子の帯電極性（−）とは反対極性（＋）に制御するとともに、一方の裏面電極Ｘ３（又はＸ４）の極性をグランド状態、他方の裏面電極Ｘ４（又はＸ３）の極性をＢ粒子の帯電極性（＋）とは反対極性（−）に制御する。
【０１０４】
以上の極性制御により、セル＃１では正帯電のＲ粒子、セル＃２では負帯電のＭａ粒子、セル＃３では負帯電のＹｅ粒子が、それぞれ視認側である表面電極Ｘ１側へ引き寄せられる一方、セル＃１、＃２及び＃３のそれぞれにおいてＲ、Ｍａ及びＹｅの各粒子と反対極性に帯電し、かつ、補色関係にある粒子が、それぞれ裏面電極Ｘ４側へ引き寄せられる。  従って、セル＃１は、Ｒ粒子による赤を表示し、セル＃２及び＃３は、当該Ｒ粒子と補色関係にあるＣｙ粒子とは異なる２色のＭａ粒子及びＹｅ粒子による並置混色表示（赤色表示と等価）となる。加えて、セル＃２に入射しそのＷ粒子の球面で反射して隔壁３０を介してセル＃３に入射したＭａ光は、セル＃３のＷ粒子の球面で反射して、セル＃３の表示面側に偏在するＹｅ粒子を透過することでＭａとＹｅが積層混色された混色光（赤色光と等価）となって視認側に出射する。更に、セル＃３に入射しそのＷ粒子の球面で反射して隔壁３０を介してセル＃２に入射したＹｅ光は、セル＃２のＷ粒子の球面で反射して、セル＃２の表示面側に偏在するＭａ粒子を透過することでＹｅとＭａが積層混色された混色光（赤色光と等価）となって視認側に出射する。
したがって、セル＃１の赤色光、セル＃２の積層混色光、セル＃３の積層混色光、セル＃２及びセル＃３の並置混色光とによって、３つのセル＃１、＃２及び＃３がそれぞれ赤色表示となる。
【０１０５】
（白色表示）
３つのセル＃１、＃２及び＃３で白（Ｗ）を表示する場合、図１５の模式的部分断面図に例示するように、制御回路９１は、セル＃１、＃２及び＃３それぞれの表面電極Ｘ１の極性をグランド状態（無極性）に制御する一方、セル＃１、＃２及び＃３それぞれの裏面電極Ｘ３及びＸ４の極性を互いに正負反対極性に制御する。なお、裏面電極Ｘ３及びＸ４のいずれを正又は負に制御するかは、セル＃１〜＃３毎に同じでもよいし異なっていてもよい。
これにより、各セル＃１、＃２及び＃３において、正又は負に帯電している色粒子５Ａ及び５Ｂは、裏面電極Ｘ３及びＸ４側にそれぞれ引き寄せられ、白色大粒子５Ｃの下に隠れる。したがって、３つのセル＃１、＃２及び＃３がそれぞれ白色表示となる。
【０１０６】
（白色粒子の固定方法）
図１６（ａ）〜（ｄ）は、白色大粒子５Ｃのセル６の底面部への固定方法の一例を示す図である。
各セル６内の底面部に、白色大粒子５Ｃを固定するにあたって、まず、図１６（ａ）に示すように、各セル６の配置間隔にあわせて取り付けられた複数の棒状の塗布部４１を有する冶具４０を用意し、塗布部４１の先端部に接着剤５０を付着させる。
【０１０７】
次に、図１６（ｂ）及び（ｃ）に示すように、冶具４０を作動させて、塗布部４１を、分散系５の供給前のセル６の内部へと下降させていき、セル６の底面部の中央に、塗布部４１の先端部に付着した接着剤５０を塗布する。
接着剤を塗布後は、接着剤が固化する前に、図１６（ｄ）に示すように、各セル６の底面部に塗布された接着剤５０の上に、白色大粒子５Ｃを配置し、自然乾燥や加熱乾燥等によって接着剤５０を固化させて、白色大粒子５Ｃを固定する。
【０１０８】
なお、図１６の例では、単数の白色大粒子５Ｃを固定する方法を示したが、各セル６に複数の白色大粒子５Ｃを固定する場合は、冶具４０によって、塗布部４１の先端部に接着剤５０を塗布して、接着剤５０を底面部の中央に塗布する動作を塗布位置をずらしながら繰り返し行う。または、各セル６に対して塗布部４１を複数設けて、一度に塗布を行うなどの方法で対応可能である。
【０１０９】
（一実施例）
次に、本実施形態の電気泳動表示装置１を用いた一実施例を説明する。
本実施例において、本実施形態の電気泳動表示装置は、図２、図４、図６（ａ）及び（ｂ）などに例示した構成のものを用い、比較例の電気泳動表示装置は、図６（ｃ）に例示した構成のものを用いた。
ここで、図１８（ａ）は、本実施形態及び比較例の電気泳動表示装置で測定した測定値を用いて作成したｘｙ色度図であり、（ｂ）は、本発明及び比較例のｘｙ色度図の作成に用いた測定値を示す図である。図１８（ａ）において、折れ線Ａが本実施形態に対応する折れ線であり、折れ線Ｂが比較例に対応する折れ線である。
【０１１０】
全ての色が表現されたｘｙ色度図においては、周辺にいくほど鮮やかさが増し境界において単色光となる。従って、Ｒｅ，Ｇｒ，Ｂｕの３原色と、Ｃ，Ｍ，Ｙの３原色に対する（ｘ，ｙ）値のプロットを直線でつなげた折れ線の囲む面積が大きいほど値が周辺側にある（彩度が大きい）ことになる。
具体的に、本実施形態の折れ線Ａの色域面積は、０．０５となり、比較例の折れ線Ｂの色域面積は０．０３８となった。つまり、本実施形態の構成は、白色粒子として小粒子を用いた比較例に対して色域面積が１．３３倍となった。
従って、折れ線Ａの色域面積の方が、比較例のものよりも大きいことから、比較例に対して、本発明の電気泳動装置の表示結果は、彩度が向上しているといえる。
【０１１１】
（変形例１）
次に、本実施形態の電気泳動表示装置１の変形例１について説明する。
図１９は、変形例１の電気泳動表示装置の構造を示す模式的な部分断面図である。
上述した３電極構造の電気泳動表示装置１において、図１９に示すように、セル６の底面部の周縁部に面する基板３の裏側に裏面電極８１，８２を設け、表面側電極７３を、視認方向１００から平面視して、基板４における裏面電極８１，８２と重ならない位置に設ける構成とする。加えて、基板４における視認方向１００から平面視して、裏面電極８１，８２が視認できる位置に、遮光性を有する遮蔽膜としてブラックマトリクスを設ける構成とすることもできる。
【０１１２】
このような構成であれば、裏面電極８１，８２に偏在する色粒子を、ブラックマトリスによって視認側から隠蔽することができるので、白色大粒子５Ｃによって、裏面電極８１，８２に偏在する色粒子を隠蔽する必要がなくなり、白色大粒子５Ｃの配置等が容易となる。
なお、ブラックマトリクスの材料としては、カーボンブラック、低次酸化チタン、酸化鉄、クロム、銀微粒子などを用いることができる。他に、金、白金族元素、またはこれらの合金、または前記いずれかの金属または合金に銀を添加した合金に、銅、ニッケル、鉄等の金属を添加し、酸化することにより、表面に密着性の良い黒色酸化物層を形成した黒色合金などを用いることができる。
【０１１３】
（変形例２）
上述した電気泳動表示装置１は、各種電子機器に備えることができる。電気泳動表示装置１を備える電子機器の一例としては、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等が挙げられる。
【０１１４】
上記実施形態において、表面電極７１，７２，７３は、第１電極に対応し、裏面電極８１，８２は、第２電極に対応し、白色大粒子５Ｃは、反射部材に対応し、制御回路９１は、電圧印加手段に対応する。
なお、上記実施形態において、白色大粒子５Ｃを、セル６の内側に固定する例を挙げて説明したが、この構成に限らず、白色大粒子５Ｃを固定しない構成としてもよい。
【０１１５】
また、上記実施形態では、３ピクセル（各３つのセル６）で１画素を構成する例を挙げて説明したが、この構成に限らず、２ピクセルで１画素を構成してもよい。２ピクセルで１画素を構成する場合は、例えば、２ピクセルの双方に白色大粒子５Ｃ及び黒色粒子を封入し、一方にマゼンタ色粒子、他方にイエロー色粒子を封入する構成などが考えられる。
この構成であれば、白色表示、黒色表示、マゼンタ色とイエロー色との混色表示（並置混色＋積層混色）を行うことができる。
【符号の説明】
【０１１６】
１…電気泳動表示装置、２…電気泳動表示体、３，４…基板、５…分散液、５Ａ〜５Ｂ…（電気泳動）粒子、５Ｃ…白色大粒子、６…セル、９…回路基板、３０…隔壁、３１…凹部、４０…冶具、４１…塗布部、５０…接着剤、７０…電極部、７１（Ｘ１），７２（Ｘ２），７３（Ｘ１）…電極（表面電極）、８０…電極部、８１（Ｘ３），８２（Ｘ４），８３（Ｘ３）…（裏面電極）、９１…制御回路、Ｌ１…入射光、Ｌ２…反射光（散乱光）、Ｌ３…積層混色光
【図１】
0005477124.tif 000002
【図２】
0005477124.tif 000003
【図３】
0005477124.tif 000004
【図４】
0005477124.tif 000005
【図５】
0005477124.tif 000006
【図６】
0005477124.tif 000007
【図７】
0005477124.tif 000008
【図８】
0005477124.tif 000009
【図９】
0005477124.tif 000010
【図１０】
0005477124.tif 000011
【図１１】
0005477124.tif 000012
【図１２】
0005477124.tif 000013
【図１３】
0005477124.tif 000014
【図１４】
0005477124.tif 000015
【図１５】
0005477124.tif 000016
【図１６】
0005477124.tif 000017
【図１７】
0005477124.tif 000018
【図１８】
0005477124.tif 000019
【図１９】
0005477124.tif 000020